(57)【特許請求の範囲】
【請求項１】
対向する一対の平側パネルと，該平側パネルの上端にヒンジ連結するとともに中央位置で相互にヒンジ連結して山折りの折り畳み自在に設置した一対の山折り屋根パネルと，上記平側パネルの前後両側端にヒンジ連結するとともに中央位置で相互にヒンジ連結しそれぞれ谷折りの折り畳み自在に設置した前後一対にして前方においてくり抜き形成した出入り開口を形成した各一対の谷折り妻側パネルと，上記対向する一方の平側パネルの下端又は中間位置下方にヒンジ連結することにより該ヒンジ連結した平側パネル内側に重合状に跳ね上げ折り畳み自在に設置し且つ他方の平側パネルの上下方向対応位置に設置したパネル受けに自由端を載置することにより水平の床面をなす起倒床パネルとを備えてなることを特徴とする折り畳み自在の犬小屋。
【請求項２】
平側パネル，屋根パネル，妻側パネル又は床パネルの一部乃至全部に代えて，格子，網目等の通風性を有する仕切体を用いてなることを特徴とする請求項１に記載の折り畳み自在の犬小屋。
【発明の詳細な説明】
【０００１】
【発明の属する技術分野】
本発明は犬小屋に関し，特に折り畳みの保管や運搬をなしうるように構成した折り畳み自在の犬小屋に関する。
【０００２】
【従来の技術及び発明が解決しようとする課題】
この種犬小屋は，完成品として或いは組み立て品として製造販売されているが，完成品としたものは，大きく嵩ばるものとなりやすく，在庫の保管，不要時の保管或いは運搬に不便であり，一方組立品としたものは，これらの問題点を解消しうるが，使用に際しての組立や不要時や運搬時の分解に，工具を必要としたり，組立分解の作業が煩雑になりやすいという問題点を残している。
【０００３】
本発明はかかる問題点に鑑みてなされたもので，その解決課題とするところは，在庫の保管，不要時の保管，運搬にスペースを必要とせず，また使用時や不要時に容易に設置，撤去をなしうるようにした折り畳み自在の犬小屋を提供するにある。
【０００４】
【課題を解決しようとする手段】
上記課題に沿って本発明は，犬小屋を，平側パネル，屋根パネル，妻側パネル，床パネルによって構成するとともに，屋根パネル，妻側パネル及び床パネルを平側パネルにヒンジ連結して，平側パネルを基準として，屋根パネルにおいて山折り，妻側パネルにおいて谷折りの折り畳みを行い，床パネルにおいて跳ね上げの折り畳みを行うものとし，また妻側パネルの一方に出入り開口を形成することにより，ワンタッチの伸張折り畳みをなしうるようにするとともに折り畳み時の可及的なコンパクト化を図るようにしたものであって，即ち請求項１に記載の発明を，対向する一対の平側パネルと，該平側パネルの上端にヒンジ連結するとともに中央位置で相互にヒンジ連結して山折りの折り畳み自在に設置した一対の山折り屋根パネルと，上記平側パネルの前後両側端にヒンジ連結するとともに中央位置で相互にヒンジ連結しそれぞれ谷折りの折り畳み自在に設置した前後一対にして前方においてくり抜き形成した出入り開口を形成した各一対の谷折り妻側パネルと，上記対向する一方の平側パネルの下端又は中間位置下方にヒンジ連結することにより該ヒンジ連結した平側パネル内側に重合状に跳ね上げ折り畳み自在に設置し且つ他方の平側パネルの上下方向対応位置に設置したパネル受けに自由端を載置することにより水平の床面をなす起倒床パネルとを備えてなることを特徴とする折り畳み自在の犬小屋とし，請求項２に記載の発明を，上記に加えて，犬小屋として構成して夏場等に通風性を備えたものとしうるように，これを，平側パネル，屋根パネル，妻側パネル又は床パネルの一部乃至全部に代えて，格子，網目等の通風性を有する仕切体を用いてなることを特徴とする請求項１に記載の折り畳み自在の犬小屋とし，これらをそれぞれ発明の要旨として上記課題解決の手段としたものである。
【０００５】
【発明の実施の形態】
以下図面の例によって本発明を更に具体的に説明すれば，Ａは犬小屋であり，該犬小屋Ａは，対向する一対の平側パネル１と，該平側パネル１の上端にヒンジ９連結するとともに中央位置で相互にヒンジ９連結して山折りの折り畳み自在に設置した一対の山折り屋根パネル２と，上記平側パネル１の前後両側端にヒンジ９連結するとともに中央位置で相互にヒンジ９連結しそれぞれ谷折りの折り畳み自在に設置した前後一対にして前方においてくり抜き形成した出入り開口を形成した各一対の谷折り妻側パネル３と，上記対向する一方の平側パネル１の下端にヒンジ９連結することにより該ヒンジ９連結した平側パネル１内側に重合状に跳ね上げ折り畳み自在に設置し且つ他方の平側パネル１の上下方向対応位置に設置したパネル受け６に自由端を載置することにより水平の床面をなす回動床パネル４とを備えたものとしてある。
【０００６】
即ち本例において平側パネル１，屋根パネル２，妻側パネル３は，例えば樹脂板，金属板或いは樹脂と金属との複合板等を用いて，その外周に，例えばアルミ押し出し材，樹脂押し出し材等を枠組みした金属又は樹脂のフレーム５を囲繞設置したものとし，また床パネル４は，例えば厚肉の合板，樹脂板等を用いて，同じくその外周に，例えばアルミ押し出し材，樹脂押し出し材等の回り縁乃至枠組みしたフレームを囲繞設置したものとし，平側パネル１は，これを同一寸法矩形状のものを対向して一対用い，屋根パネル２及び前後妻側面の各妻側パネル３は，それぞれ同じく同一寸法矩形状のものを，屋根パネル２において緩傾斜の切妻屋根面を形成するように，各妻側パネル３において妻側面（妻面）を形成するように，それぞれ各一対用いるものとしてある。
【０００７】
一方これらパネルを連結するヒンジ９は，平側パネル１と屋根パネル２間にあっては，上記フレーム５間に介設した各長手方向複数のヒンジ金物（蝶番金物）によるものとし，各平側パネル１の上端に位置するフレーム５の，特に上枠５ａと屋根パネル２の平側端部に位置するフレーム５の，特に側枠５ｄ下面との間に上記ヒンジ金物の取付片を固定して，これらの間に介設することにより，また一対の屋根パネル２間，平側パネル１と妻側パネル３間，一対の妻側パネル３間，平側パネル１と床パネル４間にあっては，上記フレーム５間に介設し，それぞれ支軸９ａと該支軸９ａを回動自在に軸支する軸受９ｂとによって９０度乃至１００度の回動を可能とした，支軸９ａと軸受９ｂを嵌合形成した各長手方向全長のアルミ又は樹脂の全面ヒンジによるものとしてあり，このとき該全面ヒンジは，上記パネルにおける一方のフレーム５に上記支軸９ａを，他方のフレーム５に軸受９ｂを配置して，これらを直接的に嵌合するか，例えば屋根パネル２間，妻側パネル３間におけるように，ヒンジ連結枠９ｃを用いて，フレーム５に軸受９ｂを，ヒンジ連結枠９ｃに支軸９ａを配置して，これらを間接的に嵌合することにより，これらの間に介設し，上記ヒンジ金物及び全面ヒンジを用いたヒンジ９連結により，上記屋根パネル２を，対向する一対の平側パネル１を基準として山折りの折り畳み自在とする山折り屋根パネルとし，妻側パネル３を，同じく対向する一対の平側パネル１を基準としてその前後においてそれぞれ谷折りの折り畳み自在とする谷折り妻側パネルとし，また床パネル４を，対向する一対の内，一方の平側パネル１の内側に重合状に跳ね上げ折り畳み自在とする起倒床パネルとしたものとしてある。
【０００８】
このとき前後一対の妻側面をなす一方の妻側パネル３，特に前方の妻側パネルには，上記出入り開口７を形成し，犬小屋Ａにおいて犬の出入りを可能としてあり，本例にあって該出入り開口７は，上記前方の中央位置で相互にヒンジ９，特に全面ヒンジで連結した一対の妻側パネル３間に跨るように，上記全面ヒンジ９を，該ヒンジ９の回動機能を損なわない状態に上下端を残して，上下方向中間で切断し，該妻側パネル３にくり抜き形成したものとしてあり，また上記床パネル４を下端においてそのフレーム５，特に下枠５ｂにヒンジ９連結した一方の平側パネル１に対向する他方の平側パネル１の上下方向対応位置，即ち該他方の平側パネル１の，上記ヒンジ９連結位置と同高位置にして該平側パネル１の，本例において下端には，上記床パネル４の自由端を載置するパネル受け６を設置し，該床パネル４を下向きに回動し，転倒した使用状態においてその水平を確保するようにしてあり，本例にあって該パネル受け６は，上記他方の平側パネル１のフレーム５，特に下枠５ｂに設置し，一方の平側パネル１方向に突出した下枠５ｂ長手方向全長に亘る支持片を有する長尺Ｌ字アングル部材又は長手方向複数の支持片を有する短尺Ｌ字アングル部材によるものとしてある。
【０００９】
以上のように形成した犬小屋Ａは，例えば床パネル４を上向きに起立回動して，ヒンジ９連結側の平側パネル１の内側に重合状に該床パネル４を跳ね上げ起立してその折り畳みを行い，屋根パネル２を，その中央位置のヒンジ９を持ち上げるように山折りにし，又は前後の妻側パネル３を，その中央位置のヒンジ９をそれぞれ対向方向に押圧するように谷折りにして，これら各折り畳みを行うことによって，対向する一対の平側パネル１を基準として，該対向する一対の平側パネル１とこれらの間に受入配置した一対の妻側パネル３及び床パネル４の厚さのほぼ合計幅とし，屋根パネル２を上方に突出配置して平側パネル１と一方の屋根パネル２の高さのほぼ合計高さとするように，犬小屋Ａをコンパクトに折り畳み自在としてあり，また逆に，屋根パネル２を，その中央位置のヒンジ９を下向きに押圧するように伸張し，又は妻側パネル３を，その中央位置のヒンジ９を引き出すように伸張し，床パネル４を下向きに転倒回動してその自由端を上記パネル受け６に載置し，これら各伸張を行うことによって，同じく対向する一対の平側パネル１を基準として，平側面，屋根面，妻側面，床面を有し，これらに囲まれた出入り開口７付きの構造物としての犬小屋Ａを，ワンタッチで形成するとともにその伸張使用状態の保形性を確保することができ，また本例にあっては，上記平側面，屋根面，妻側面，床面に各パネルを用いたことにより，犬の居住性を可及的に向上したものとすることができ，更に主要部分に全面ヒンジを用いたことにより，犬の居住空間の気密性を可及的に確保することができる。
【００１０】
図中８は平側パネル１のフレーム５を下方に延長することによって設置したコーナー４カ所の脚部である。
【００１１】
図示した例は以上のとおりとしたが，平側パネル，妻側パネル，屋根パネル又は床パネルの一部乃至全部を格子，網目等の通風性を有する仕切体によるものとすること，このとき仕切体は，上記フレームに縦又は横の格子桟を所定間隔に架設し，また同じく上記フレームにメッシュ材を張付固定したものとすること，上記平側パネルと屋根パネル間のヒンジ連結を，上記ヒンジ金物に代えて，全面ヒンジによって行い，またその余のヒンジ連結の全面ヒンジに代えて，ヒンジ金物を用いるようにすること，平側パネルに対する床パネルのヒンジ連結を，対向する一方の平側パネルの中間位置下方において行うようにすること等を含めて，本発明の実施に当たって，各パネル，ヒンジ，これらの関係，これらに対する付加等は，上記発明の要旨に反しない限り，様々の形態のものとすることができる。
【００１２】
【発明の効果】
本発明は以上のとおりに構成したので，請求項１に記載の発明は，対向する一対の平側パネルとこれらの間に受入配置した一対の妻側パネル及び床パネルの厚さのほぼ合計幅とし，屋根パネルを上方に突出配置して平側パネルと一方の屋根パネルの高さのほぼ合計高さとするように可及的にコンパクトに折り畳むことができ，在庫の保管，不要時の保管，運搬にスペースを必要とせず，また対向する一対の平側パネルを基準として，平側面，屋根面，妻側面，床面を有し，これらに囲まれた出入り開口付きの構造物として，ワンタッチで形成できるとともにその伸張使用状態の保形性を確保することができ，使用時や不要時に容易に設置，撤去をなしうるようにした折り畳み自在の犬小屋を提供することが可能になり，また請求項２に記載の発明は，上記に加えて，犬小屋として構成して夏場等に通風性を備えたものとしうるようにして，犬の居住性を向上したものとすることが可能となる。
【図面の簡単な説明】
【図１】犬小屋の使用状態を示す斜視図である。
【図２】犬小屋の折り畳み状態を示す斜視図である。
【図３】犬小屋の正面図である。
【図４】犬小屋の背面図である。
【図５】犬小屋の平側パネルと屋根パネルの関係を示す縦断面図である。
【図６】犬小屋の平側パネルと妻側パネルの関係を示す横断面図である。
【図７】犬小屋の妻側パネルと屋根パネルの関係を示す縦断面図である。
【図８】犬小屋を折り畳んだ状態を示す横断面図である。
【符号の説明】
Ａ  犬小屋
１  平側パネル
２  屋根パネル
３  妻側パネル
４  床パネル
６  パネル受け
７  出入り開口
９  ヒンジ
【図１】
0003757054.tif 000002
【図２】
0003757054.tif 000003
【図３】
0003757054.tif 000004
【図４】
0003757054.tif 000005
【図５】
0003757054.tif 000006
【図６】
0003757054.tif 000007
【図７】
0003757054.tif 000008
【図８】
0003757054.tif 000009